(57)【要約】【課題】  音声検索性を向上し得る記録再生装置及び記録再生方法を提案する。【解決手段】  外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録し、これら音声情報のファイルとそれぞれ関連付けられた画像情報に基づく各画像を表示し、その表示した画像のうちの所定の第２の外部操作によって選択された画像と関連付けられた音声情報のファイルを再生すると共に、各音声情報のファイルごとに、当該ファイルと関連付けた画像情報に基づく各画像のいずれかを、ファイルの代表画像として設定するようにした。【選択図】        図１０
2006074517.tif 000002
【特許請求の範囲】
【請求項１】
外部音を集音し、集音結果に応じた音声情報を出力する集音手段と、
外部を撮影し、撮影結果に応じた画像情報を出力する撮影手段と、
上記音声情報を用件単位でファイル化して所定の記録媒体に記録すると共に、所定の第１の外部操作に応じて、上記画像情報を対応する上記音声情報のファイルと関連付けて当該記録媒体に記録する記録手段と、
各上記音声情報の上記ファイルとそれぞれ関連付けられた上記画像情報に基づく各画像を表示する表示手段と、
上記表示手段に表示された上記画像のうちの所定の第２の外部操作によって選択された上記画像と関連付けられた上記音声情報の上記ファイルを再生する再生手段と
を具え、
上記記録手段は、
各上記音声情報の上記ファイルごとに、当該ファイルと関連付けた上記画像情報に基づく各画像のいずれかを、上記ファイルの代表画像として設定する
ことを特徴とする記録再生装置。
【請求項２】
上記記録手段は、
上記ファイルと最初又は最後に関連付けた上記画像情報に基づく画像を上記代表画像として、先頭の上記音声情報に対応付けて設定する
ことを特徴とする請求項１に記載の記録再生装置。
【請求項３】
上記記録手段は、
上記ファイルと最初に関連付けた上記画像情報に基づく画像を上記代表画像として、先頭の上記音声情報に対応付けて設定する
ことを特徴とする請求項１に記載の記録再生装置。
【請求項４】
上記記録手段は、
録音開始時点から所定の猶予時間が経過するまでの期間に上記ファイルと関連付けた上記画像情報に基づく画像を上記代表画像として、先頭の上記音声情報に対応付けて設定する
ことを特徴とする請求項１に記載の記録再生装置。
【請求項５】
上記猶予時間は、ほぼ３０[秒]である
ことを特徴とする請求項４に記載の記録再生装置。
【請求項６】
上記記録手段は、
上記ファイルと関連付ける上記画像情報がなかった場合に、予め設定された設定画像を上記代表画像として、先頭の上記音声情報に対応付けて設定する
ことを特徴とする請求項１に記載の記録再生装置。
【請求項７】
上記第１の外部操作は、
カメラシャッタボタンの押圧操作である
ことを特徴とする請求項１に記載の記録再生装置。
【請求項８】
上記第２の外部操作は、
所定の操作子を操作して、上記表示手段に各上記画像と共に表示されたカーソルを、所望の上記画像を指すように移動させた後に当該操作子を操作して、選択対象として当該画像を決定する操作である
ことを特徴とする請求項１に記載の記録再生装置。
【請求項９】
外部音を集音することにより得られた音声情報を用件単位でファイル化して所定の記録媒体に記録すると共に、所定の第１の外部操作に応じて、外部を撮影することにより得られた上記画像情報を対応する上記音声情報のファイルと関連付けて当該記録媒体に記録する第１のステップと、
各上記音声情報の上記ファイルとそれぞれ関連付けられた上記画像情報に基づく各画像を表示する第２のステップと、
表示した上記画像のうちの所定の第２の外部操作によって選択された上記画像と関連付けられた上記音声情報の上記ファイルを再生する第３のステップと
を具え、
上記第１のステップでは、
各上記音声情報の上記ファイルごとに、当該ファイルと関連付けた上記画像情報に基づく各画像のいずれかを、上記ファイルの代表画像として設定する
ことを特徴とする記録再生方法。
【請求項１０】
上記第１のステップでは、
上記ファイルと最初又は最後に関連付けた上記画像情報に基づく画像を上記代表画像として、先頭の上記音声情報に対応付けて設定する
ことを特徴とする請求項９に記載の記録再生方法。
【請求項１１】
上記第１のステップでは、
上記ファイルと最初に関連付けた上記画像情報に基づく画像を上記代表画像として、先頭の上記音声情報に対応付けて設定する
ことを特徴とする請求項９に記載の記録再生方法。
【請求項１２】
上記第１のステップでは、
録音開始時点から所定の猶予時間が経過するまでの期間に上記ファイルと関連付けた上記画像情報に基づく画像を上記代表画像として、先頭の上記音声情報に対応付けて設定する
ことを特徴とする請求項９に記載の記録再生方法。
【請求項１３】
上記猶予時間は、ほぼ３０[秒]である
ことを特徴とする請求項１２に記載の記録再生方法。
【請求項１４】
上記第１のステップでは、
上記ファイルと関連付ける上記画像情報がなかった場合に、予め設定された設定画像を上記代表画像として、先頭の上記音声情報に対応付けて設定する
ことを特徴とする請求項９に記載の記録再生方法。
【請求項１５】
上記第１の外部操作は、
カメラシャッタボタンの押圧操作である
ことを特徴とする請求項９に記載の記録再生方法。
【請求項１６】
上記第２の外部操作は、
所定の操作子を操作して、上記表示手段に各上記画像と共に表示されたカーソルを、所望の上記画像を指すように移動させた後に当該操作子を操作して、選択対象として当該画像を決定する操作である
ことを特徴とする請求項９に記載の記録再生方法。
【発明の詳細な説明】
【技術分野】
【０００１】
本発明は、記録再生装置及び記録再生方法に関し、例えば音声情報と映像情報とを記録及び再生する場合に適用して好適なものである。
【背景技術】
【０００２】
従来、音声録音と静止画撮影を同時に行い、かつ音声と静止画の時間関係を関連付けておくことにより、音声再生時に音声内容に沿って静止画再生をするようになされた電子カメラが提案されている（例えば特許文献１参照)。
【特許文献１】特開２００１−６９４５３公報
【発明の開示】
【発明が解決しようとする課題】
【０００３】
ところでかかる構成の電子カメラにおいては、音声と静止画との時間関係を関連付けて単に再生するだけであるため、当該静止画に対応付けられた時点の音声内容を事前に把握することができないという問題があった。
【０００４】
本発明は以上の点を考慮してなされたもので、検索性を向上し得る記録再生装置及び記録再生方法を提案しようとするものである。
【課題を解決するための手段】
【０００５】
かかる課題を解決するため本発明は、記録再生装置において、外部音を集音し、集音結果に応じた音声情報を出力する集音手段と、外部を撮影し、撮影結果に応じた画像情報を出力する撮影手段と、音声情報を用件単位でファイル化して所定の記録媒体に記録すると共に、所定の第１の外部操作に応じて、画像情報を対応する音声情報のファイルと関連付けて当該記録媒体に記録する記録手段と、各音声情報のファイルとそれぞれ関連付けられた画像情報に基づく各画像を表示する表示手段と、表示手段に表示された画像のうちの所定の第２の外部操作によって選択された画像と関連付けられた音声情報のファイルを再生する再生手段とを設け、当該記録手段では、各音声情報のファイルごとに、当該ファイルと関連付けた画像情報に基づく各画像のいずれかを、ファイルの代表画像として設定するようにした。
【０００６】
従って、この記録再生装置では、煩雑なユーザ操作を要することなく代表画像を用件ごとに自動的に設定し、当該用件ごとの音声内容を事前に代表画像から視覚的かつ直感的に把握させた上で再生することができる。
【０００７】
また本発明は、記録再生方法において、外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録する第１のステップと、各音声情報のファイルとそれぞれ関連付けられた画像情報に基づく各画像を表示する第２のステップと、表示した画像のうちの所定の第２の外部操作によって選択された画像と関連付けられた音声情報のファイルを再生する第３のステップとを設け、第１のステップでは、各音声情報のファイルごとに、当該ファイルと関連付けた画像情報に基づく各画像のいずれかを、ファイルの代表画像として設定するようにした。
【０００８】
従って、この記録再生方法では、煩雑なユーザ操作を要することなく代表画像を用件ごとに自動的に設定し、当該用件ごとの音声内容を事前に代表画像から視覚的かつ直感的に把握させた上で再生することができる。
【発明の効果】
【０００９】
本発明によれば、外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録し、これら音声情報のファイルとそれぞれ関連付けられた画像情報に基づく各画像を表示し、その表示した画像のうちの所定の第２の外部操作によって選択された画像と関連付けられた音声情報のファイルを再生すると共に、各音声情報のファイルごとに、当該ファイルと関連付けた画像情報に基づく各画像のいずれかを、ファイルの代表画像として設定するようにしたことにより、煩雑なユーザ操作を要することなく代表画像を用件ごとに自動的に設定し、当該用件ごとの音声内容を事前に代表画像から視覚的かつ直感的に把握させた上で再生することができ、かくして検索性を向上することができる。
【発明を実施するための最良の形態】
【００１０】
以下図面について、本発明の一実施の形態を詳述する。
【００１１】
（１）本実施の形態によるカメラ付きＩＣ(Integrated Circuit)レコーダ１の構成
図１〜図３において、１は全体として本実施の形態によるカメラ付きＩＣレコーダ１を示し、全体として丸みを帯びた縦長形状の本体部２の上部に、ＣＣＤ（Charge Coupled Device）カメラ３が取り付けられたＬＣＤ（Liquid Crystal Display）カバー部４が上方向（矢印ｚ方向）にスライド自在に配設されている。
【００１２】
本体部２においては、背面２Ａの上部左右両側にそれぞれ集音孔５Ａ、５Ｂが穿設されると共に、これら集音孔にそれぞれ対応させてその内部にマイクロホン２０Ａ、２０Ｂ（図５）が収納されており、かくしてこれらマイクロホン２０Ａ、２０Ｂが対応する集音孔５Ａ、５Ｂを介して外部音声を集音し得るようになされている。
【００１３】
また本体部２の前面２Ｂの中段位置には録音ボタン６Ａが配設されており、この録音ボタン６Ａを押圧操作することによって、各マイクロホン２０Ａ、２０Ｂにより集音された外部音声の録音動作を開始させることができるようになされている。
【００１４】
さらに本体部２の前面２Ｂの上段位置には、図３に示すように、高解像度のカラー液晶ディスプレイでなるＬＣＤ７が配設されている。そしてこのＬＣＤ７の下側には、ライブビューボタン６Ｂが配設されており、この図３のようにＬＣＤカバー部４を上方向に引き出して開状態にし、かつ後述のようにＬＣＤカバー部４のカメラカバー８をＣＣＤカメラ３が露出するように回転させた開状態にした状態において、このライブビューボタン６Ｂを押圧操作することによって、そのときＣＣＤカメラ３により撮影されている動画像をＬＣＤ７に表示させることができるようになされている。
【００１５】
さらに本体部２の前面２Ｂの中段におけるライブビューボタン６Ｂの左横には、カメラシャッタボタン６Ｃが配設されており、ＬＣＤ７に動画像が表示されている状態においてこのカメラシャッタボタン６Ｃを押圧操作することによって、ＬＣＤ７に表示されていた動画像のうちのカメラシャッタボタン６Ｃを押圧操作した瞬間の１フレーム分の静止画像を取り込んで保存させることができるようになされている。
【００１６】
一方、本体部２の右側面２Ｃには、メニューボタン６Ｄが配設されており、このメニューボタン６Ｄを押圧操作することによって、ＬＣＤ７に所定のメニュー画面を表示させることができるようになされている。また本体部２の右側面２Ｃにおけるメニューボタン６Ｄの下側にはジョグレバー６Ｅが配設されており、このジョグレバー６Ｅを上下左右方向に倒すように操作したり、このジョグレバー６Ｅを押圧操作することによって、メニュー画面内に表示された各種選択肢の中から所望の選択肢を選択したり、その選択肢を選択対象として決定することができるようになされている。
【００１７】
さらに本体部２の右側面２Ｃにおけるジョグレバー６Ｅの下側には、停止ボタン６Ｆが配設されると共に、当該停止ボタン６Ｆの下側にはボリュームボタン６Ｇが配設されており、この停止ボタン６Ｆを押圧操作することによって録音動作や再生動作を停止させることができ、また再生動作時にボリュームボタン６Ｇの上側又は下側を押圧操作することによって、このときＬＣＤ７の裏側に配設されたスピーカ３２（図５）から出力される再生音声の音量を上げ又は下げることができるようになされている。
【００１８】
さらに本体部２の右側面２Ｃにおけるボリュームボタン６Ｇの下側には、ボイスアップスイッチ６Ｈが配設されており、このボイスアップスイッチ６Ｈを再生動作時にオン設定しておくことによって、録音動作時に大きな音量で録音された音声の音量をそのままに維持しながら、小さい音量で録音された音声を大きな音量で出力させることができるようになされている。
【００１９】
他方、本体部２の左側面２Ｄには、電源コネクタ９が配設されており、所定の電源供給キットのプラグをこの電源コネクタ９に挿入することによって、このカメラ付きＩＣレコーダ１に電源電圧を供給したり、当該カメラ付きＩＣレコーダ１内に内蔵された図示しない電池に対する充電を行い得るようになされている。
【００２０】
また本体部２の左側面２Ｄにおける電源コネクタ９の下側には、ＵＳＢ（Universal Serial Bus）コネクタ１０が配設されており、このＵＳＢコネクタ１０を介してパーソナルコンピュータ等の外部機器とＵＳＢ接続することができるようになされている。これによりこのカメラ付きＩＣレコーダ１においては、かかるＵＳＢ接続された外部機器との間でこのカメラ付きＩＣレコーダ１に保存された録音音声の音声データや録画画像の画像データを外部機器に出力したり、当該外部機器から与えられる音声データや画像データを取り込み得るようになされている。
【００２１】
なお本体部２の前面２ＢにおけるＬＣＤ７の直下には、充電時に点灯する充電用ＬＥＤ（Light Emitting Diode）１１と、録音動作時や再生動作時に点灯するオペレーション用ＬＥＤ１２とが配設されており、かくしてユーザがこれら充電用ＬＥＤ１１及びオペレーション用ＬＥＤ１２の点滅状態に基づいて充電や録音等が確実に行われているか否かを容易に検知し得るようになされている。
【００２２】
さらに本体部２の下側面２Ｅには、マイクロホンジャック１３及びヘッドホンジャック１４が配設されており、かくしてマイクロホンジャック１３に図示しない外部のマイクロホンの出力プラグを挿入することによって、当該マイクロホンにより集音された外部音声を取り込んで録音でき、またヘッドホンジャック１４に図示しない外部のヘッドホンの入力プラグを挿入することによって、再生動作時に再生された録音音声を当該ヘッドホンにより聞くことができるようになされている。
【００２３】
これに対してＬＣＤカバー部４においては、図１及び図２のように閉じられた閉状態時において本体部２のＬＣＤ７の２／３程度を覆うようにその外形形状が選定されている。これによりこのカメラ付きＩＣレコーダ１においては、不使用時にはＬＣＤカバー部４を閉状態にすることでＬＣＤ７を当該ＬＣＤカバー部４によって保護することができる一方、使用の際には図３のようにこのＬＣＤカバー部４を上方向に引き出して開状態にすることで、ＬＣＤ７を露出させて当該ＬＣＤ７に表示されるメニュー画面等をユーザが目視できるようになされている。
【００２４】
またＬＣＤカバー部４の上部には、円柱形状のカメラカバー８が回転自在に配設されると共に、このカメラカバー８の所定位置には、上述のＣＣＤカメラ３がその光学軸を当該カメラカバー８の中心軸と垂直な方向に向けて取り付けられている。
【００２５】
この場合において、カメラカバー８は、図４（Ａ）のようにＣＣＤカメラ３がＬＣＤカバー部４内に隠れた回転位置（以下、この回転位置を原点位置と呼ぶ）から図４（Ｄ）のようにＣＣＤカメラ３の光学軸が本体部２の前面２Ｂの法線方向とほぼ一致する回転位置（以下、この回転位置を終点位置と呼ぶ）までの範囲内において矢印ａ方向又はこれと逆方向に回転させることができるようになされている。
【００２６】
これによりこのカメラ付きＩＣレコーダ１においては、図４（Ａ）のようにカメラカバー８を原点位置に位置させた閉状態にすることで不使用時のＣＣＤカメラ３を保護する一方、この状態からカメラカバー８を矢印ａ方向に回転させて、図４（Ｂ）のようにＣＣＤカメラ３が本体部２の背面２Ａ側に露出した開状態にすることによって、ＬＣＤ７に表示される動画像を目視しながら所望の画像を撮影でき、この状態からさらにカメラカバー８を終点位置にまで矢印ａ方向に回転させることによって、図４（Ｃ）のようにＬＣＤ７に表示される動画像を目視しながらユーザ自身の顔をも撮影することができるようになされている。
【００２７】
なおカメラカバー８にはマクロスイッチ６Ｉが配設されており、このマクロスイッチ６Ｉをオン設定することによって、ＣＣＤカメラ８を被写体に近づけた接写にも対応し得るマクロモードを設定し得るようになされている。この場合において、かかるマクロスイッチ６Ｉの配設位置は、ＣＣＤカメラ３と180〔°〕ずれた位置に選定されており、これによりＬＣＤに表示される動画像に基づきマクロモードの必要性を判断した上で、必要と判断したときにユーザがマクロスイッチ６Ｉを容易にオン設定することができるようになされている。
【００２８】
（２）カメラ付きＩＣレコーダ１の内部構成
ここで図５は、このカメラ付きＩＣレコーダ１の内部構成を示すものである。
【００２９】
このカメラ付きＩＣレコーダ１では、電源投入時、マイクロホン２０Ａ、２０Ｂが外部音声を集音し、得られた音声信号Ｓ１を増幅器２１を介してＡＤ(Analog Digital)／ＤＡ(Digital Analog)コンバータ２２に送出する。またＡＤ／ＤＡコンバータ２２は、マイクロホン２０Ａ、２０Ｂから与えられる音声信号Ｓ１を順次ディジタル変換処理し、得られた音声データＤ１をデータ処理及び制御部２３に順次送出する。
【００３０】
データ処理及び制御部２３は、このカメラ付きＩＣレコーダ１全体の制御を司るＣＰＵ(Central Processing Unit)２４、各種プログラムが格納されたＲＯＭ(Read Only Memory)２５、当該ＣＰＵ２４のワークメモリとしてのＲＡＭ(Random Access Memory)２６及び内蔵タイマ２７を含んでなるマイクロコンピュータ構成の制御部２８と、音声データＤ１及び後述する画像データＤ３に対するデータ圧縮伸張機能を有するＤＳＰ(Digital Signal Processor)２９とから構成される。
【００３１】
そしてデータ処理及び制御部２３の制御部２８には、操作部６を構成する上述の録音ボタン６Ａ、ライブビューボタン６Ｂ、カメラシャッタボタン６Ｃ、メニューボタン６Ｄ、ジョグレバー６Ｅ、停止ボタン６Ｆ、ボリュームスイッチ６Ｇ、ボイスアップスイッチ６Ｈ及びマクロスイッチ６Ｉのいずれかが操作されたときに、これに応じた操作入力信号Ｓ２が操作部６から与えられる。
【００３２】
また制御部２８には、ＬＣＤカバー部４内に設けられた対応するセンサ（図示せず）から、ＬＣＤカバー部４が閉状態（図１及び図２）及び開状態（図３）のいずれの状態にあるかを表すＬＣＤカバー状態信号Ｓ３と、カメラカバー８が閉状態（図４（Ａ））及び開状態（図４（Ｂ）及び４（Ｃ））のいずれの状態にあるかを表すカメラカバー状態信号Ｓ４とがそれぞれ与えられる。
【００３３】
かくして制御部２８のＣＰＵ２４は、操作入力信号Ｓ２に基づいてユーザ操作の操作内容を認識すると共に、ＬＣＤカバー状態信号Ｓ３及びカメラカバー状態信号Ｓ４に基づいて現在のＬＣＤカバー部４及びカメラカバー８の状態を検知し、これら認識及び検知結果とＲＯＭ２５に格納された各種制御プログラムとに基づいて対応する各種制御処理を実行する。
【００３４】
実際上、ＣＰＵ２４は、操作入力信号Ｓ２に基づき操作部６の録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の少なくともいずれか一方が閉状態にあることを検知したときには、これに応じて動作モードを録音モードに遷移してＤＳＰ２９を制御する。かくしてこのときＤＳＰ２９は、かかるＣＰＵ２４の制御のもとに、ＡＤ／ＤＡコンバータ２２から与えられる音声データＤ１に対してＬＰＥＣ（ソニー株式会社  登録商標）等の所定の音声圧縮方式に準拠した音声圧縮処理を施し、得られた圧縮音声データＤ２を順次フラッシュメモリ３０に格納する。
【００３５】
またＣＰＵ２４は、この後操作入力信号Ｓ２に基づき停止ボタン６Ｆが押圧操作されたことを認識すると、ＤＳＰ２９を制御することにより、ＡＤ／ＤＡコンバータ２２から与えられる音声データＤ１に対する音声圧縮処理を停止させる一方、そのときユーザにより選択されていたフォルダ内に新たな用件フォルダを生成し、かかる圧縮音声データＤ２からなる音声ファイルをその用件フォルダに収納して、その用件フォルダの管理情報を所定の用件管理ファイルに格納する。
【００３６】
またＣＰＵ２４は、ＬＣＤカバー状態信号Ｓ３及びカメラカバー状態信号Ｓ４に基づきＬＣＤカバー部４及びカメラカバー８の双方が開状態となったことを検知すると、動作モードをカメラモードに遷移させて、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００３７】
そしてＣＰＵ２４は、この状態において操作入力信号Ｓ２に基づきライブビューボタン６Ｂが押圧操作されたことを認識すると、これに応じてＤＳＰ２９を制御する。かくしてこのときＤＳＰ２９は、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像がリアルタイムでＬＣＤ７に表示される。
【００３８】
さらにＣＰＵ２４は、この後この状態において操作入力信号Ｓ２に基づきカメラシャッタボタン６Ｃが押圧操作されたことを認識すると、これに応じてＤＳＰ２９を制御する。かくして、このときＤＳＰ２９は、画像データＤ３に基づき得られるそのカメラシャッタボタン６Ｃが押圧された瞬間の１フレーム分の静止画像の画像データＤ３を取り込み、この取り込んだ画像データＤ３に対して例えばＪＰＥＧ(Joint Photographic Experts Group)等の所定の画像圧縮方式に準拠した画像圧縮処理を施し、得られた圧縮画像データＤ４をフラッシュメモリ３０に格納する。
【００３９】
そしてＣＰＵ２４は、この後そのときユーザにより選択されていたフォルダ内に新たな用件フォルダを生成し、かかる圧縮画像データＤ４からなる画像ファイルをその用件フォルダに収納して、その用件フォルダの管理情報を用件管理ファイルに格納する。
【００４０】
一方、ＣＰＵ２４は、操作入力信号Ｓ２に基づき録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の双方が開状態にあることを検知したときには、動作モードを録音録画モードに遷移させると共に、これに応じてＤＳＰ２９を制御する。
【００４１】
このときＤＳＰ２９は、上述した録音モード時と同様にＡＤ／ＤＡコンバータ２２から与えられる音声データＤ１に対して順次所定の音声圧縮処理を施し、得られた圧縮音声データＤ２をフラッシュメモリ３０に格納する。またこのときＤＳＰ２９は、上述したカメラモード時と同様に、ＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像がリアルタイムで表示される。
【００４２】
さらにＣＰＵ２４は、この後この状態において操作入力信号Ｓ２に基づきカメラシャッタボタン６Ｃが押圧操作されたことを認識すると、これに応じてＤＳＰ２９を制御する。このときＤＳＰ２９は、カメラモード時と同様に、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。
【００４３】
またＤＳＰ２９は、この後かかる画像圧縮処理により得られた圧縮画像データＤ４を、そのカメラシャッタボタン６Ｃが押圧操作された瞬間を後に検索する際の目印となる画像（以下、これをブックマーク画像と呼ぶ）の圧縮画像データＤ４として、そのときフラッシュメモリ３０に順次格納している圧縮音声データＤ２の対応する位置と関連付けてフラッシュメモリ３０に格納する。
【００４４】
そしてＣＰＵ２４は、この後操作入力信号Ｓ２に基づき停止ボタン６Ｆが押圧操作されたことを認識すると、そのときユーザにより選択されていたフォルダ内に新たな用件フォルダを生成し、かかる圧縮音声データＤ２からなる音声ファイルと、当該音声ファイルと関連付けられた上述の各圧縮画像データＤ４でなる各画像ファイルとをその用件フォルダに収納して、その用件フォルダの管理情報を用件管理ファイルに格納する。
【００４５】
このようにしてこのカメラ付きＩＣレコーダ１においては、音声及び静止画像をそれぞれ独立して記録できるだけでなく、静止画像を録音中の音声と関連付けてブックマーク画像として記録することもできるようになされている。
【００４６】
そしてこのカメラ付きＩＣレコーダ１では、このように音声と関連付けて記録されたブックマーク画像に基づいて、所望する用件フォルダを検索できる。
【００４７】
実際上、ＣＰＵ２４は、ジョグレバー６Ｅが押圧操作されて、所望するフォルダ内の所望する用件フォルダを再生するための画面（以下、これを用件フォルダ選択画面と呼ぶ）又はその用件フォルダ内の所望するブックマーク画像を選択するための画面（以下、これをブックマーク画像選択画面と呼ぶ）の表示命令が入力されたことを操作入力信号Ｓ２に基づき認識すると、対応する画像データＤ３をＲＯＭ２５から読み出してＬＣＤ７に送出することにより、図６に示すような用件フォルダ選択画面３３や、当該用件フォルダ選択画面３３と同様構成のブックマーク画像選択画面３４（図６）をＬＣＤ７に表示させる。
【００４８】
この場合においてＣＰＵ２４は、用件フォルダ選択画面３３をＬＣＤ７に表示させるに際しては、そのフォルダ内の用件フォルダ毎に、それぞれその用件フォルダについて予め設定された代表的なブックマーク画像（以下、これを代表画像と呼ぶ）の画像ファイル（圧縮画像データＤ４）をフラッシュメモリ３０から読み出し、これをＤＳＰ２９に復号化処理させて、得られた画像データＤ３に基づき所定サイズのサムネイル画像Ｐ１〜Ｐ６を生成する。
【００４９】
そしてＣＰＵ２４は、この図６に示すように、かくして得られた用件フォルダ毎のサムネイル画像Ｐ１〜Ｐ６を用件フォルダ選択画面３３内にインデックス表示させる。なお、このとき音声のみの静止画像を含まない用件フォルダについては、サムネイル画像に代えて所定のアイコンが表示される。
【００５０】
またＣＰＵ２４は、その後ジョグレバー６Ｅが上下左右方向に操作されて、用件フォルダ選択画面３３内のサムネイル画像Ｐ１〜Ｐ６と共に表示されたカーソルが所望のサムネイル画像Ｐを指すように移動させて選択された後に、当該ジョグレバー６Ｅが押圧操作されて、このとき選択対象のサムネイル画像Ｐが決定されると、用件管理ファイルに基づいて、対応する用件フォルダ内の音声ファイル（圧縮音声データＤ２）をフラッシュメモリ３０から読み出し、これをＤＳＰ２９に復号化処理させる。
【００５１】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、このときこの音声信号Ｓ６に基づく音声がスピーカ３２から出力される。
【００５２】
これと同様に、ＣＰＵ２４は、ブックマーク画像選択画面３４（図６）をＬＣＤ７に表示させる際には、かかる用件管理ファイルに基づいて、対応する用件フォルダ内の各ブックマーク画像の画像ファイル（圧縮像データＤ４）をフラッシュメモリ３０から読み出し、これらをＤＳＰ２９に復号化処理させて、得られた各画像データＤ３に基づき所定サイズのサムネイル画像Ｐ１〜Ｐ６をそれぞれ生成する。そしてＣＰＵ２４は、このようにして得られたブックマーク画像毎のサムネイル画像Ｐ１〜Ｐ６を、ブックマーク画像選択画面３４内にインデックス表示させる。
【００５３】
またＣＰＵ２４は、その後ジョグレバー６Ｅが操作されて、ブックマーク画像選択画面３４内の１つのサムネイル画像Ｐ１〜Ｐ６が選択されると、フラッシュメモリ３０から対応する音声ファイルにおけるそのサムネイル画像Ｐ１〜Ｐ６の元のブックマーク画像と対応付けられた音声部分以降の圧縮音声データＤ２を読み出し、これをＤＳＰ２９に復号化処理させる。
【００５４】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、この音声信号Ｓ６に基づいて、選択された用件フォルダにおけるユーザにより選択されたブックマーク画像と対応付けられた音声部分以降の音声がスピーカ３２から出力される。
【００５５】
このようにしてこのカメラ付きＩＣレコーダ１においては、用件フォルダの代表画像や用件ファイル内の各ブックマーク画像に基づいて、所望する用件フォルダや、用件フォルダ内の所望する音声部分に迅速かつ容易にアクセスし得るようになされている。
【００５６】
かかる構成に加えてこのカメラ付きＩＣレコーダ１の場合、音声ファイルを含む用件フォルダについては、当該音声ファイルの再生時に新たなブックマーク画像を記録することができ、また画像ファイルのみを含む用件フォルダについては、後から音声を関連付けて記録することもできるようになされている。
【００５７】
実際上、ＣＰＵ２４は、ＬＣＤカバー状態信号Ｓ３及びカメラカバー状態信号Ｓ４に基づきＬＣＤカバー部４及びカメラカバー８の双方が開状態にあることを検知しており、ユーザにより選択された用件フォルダの音声ファイルを上述のように再生している状態において、操作入力信号Ｓ２に基づきカメラシャッタボタン６Ｃが押圧操作されたことを認識すると、これに応じてＤＳＰ２９を制御する。
【００５８】
このときＤＳＰ２９は、かかるＣＰＵ２４の制御のもとに、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。そしてＤＳＰ２９は、この後かかる画像圧縮処理により得られた圧縮画像データＤ４を、そのカメラシャッタボタン６Ｃが押圧操作された瞬間のブックマーク画像の画像ファイルとして、そのとき再生している音声ファイルと関連付けてフラッシュメモリ３０に格納する。
【００５９】
一方、ＣＰＵ２４は、ＬＣＤ７に表示された用件フォルダ選択画面３３（図６）において、画像ファイルのみからなる用件フォルダが選択され、ジョグレバー６Ｅを用いた所定操作により当該用件フォルダについて追加録音する旨の命令が入力された後に、録音ボタン６Ａが押圧操作されたことを操作入力信号Ｓ２に基づき認識すると、これに応じてＤＳＰ２９を制御する。
【００６０】
かくしてこのときＤＳＰ２９は、かかるＣＰＵ２４の制御のもとに、ＡＤ／ＤＡコンバータ２２から与えられる音声データＤ１に対して音声圧縮処理を施し、得られた圧縮音声データＤ２を音声ファイルとしてその画像ファイルと関連付けてフラッシュメモリ３０に格納する。因みにこの場合、元の画像ファイルに基づく静止画像は、追加記録された音声の先頭位置のブックマーク画像に自動設定される。
【００６１】
このようにしてこのカメラ付きＩＣレコーダにおいては、記録音声の所望位置に後から自由にブックマーク画像を追加記録したり、記録された静止画像に後から音声を関連付けて追加記録できるようにすることで、記録音声の所望部分の検索性を向上させたり、ＩＣレコーダとしての機能性を向上させ得るようになされている。
【００６２】
（３）カメラ付きＩＣレコーダ１における音声／画像データ格納フォーマットのディレクトリ構造
次に、このカメラ付きＩＣレコーダ１に採用されている音声／画像データ格納フォーマットであるボイスケープフォーマット（Voiscape Format）のディレクトリ構造について説明する。
【００６３】
図７は、かかるボイスケープフォーマットのディレクトリ構造を示すものである。この図７に示すように、録音音声の音声ファイル（「03072400.MSV」）やこれに関連付けて記録されたブックマーク画像の画像ファイル（「P0000000.JPG」〜「P0000003.JPG」）は、「MSSONY」というフォルダ内に作成された「VOISCAPE」というフォルダに格納される。
【００６４】
用件フォルダを収納するフォルダ（「FOLDER1」〜「FOLDER3」）は、この「VOISCAPE」内に存在し、ユーザはこれらフォルダの中から録音音声の音声ファイル等の格納場所として所望のフォルダを選択することができる。
【００６５】
また「VOISCAPE」には、作成された用件フォルダを管理するための上述の用件管理ファイル（「MSGLIST.MSF」）も収納される。この用件管理ファイルは、図８に示すように、32〔Byte〕のヘッダ（「Header」）の後に、各フォルダ（「FOLDER1」〜「FOLDER3」）のフォルダ名等の情報（「Folder Entry」）と、そのフォルダ内に作成された各用件フォルダのフォルダ名等の情報（「Message Entry」）とがフォルダごとに順次記述されたデータ構造を有する。これによりこの用件管理ファイルに基づいて、所望の用件ファイルがどのフォルダ内にあるかを検索することができるようになされている。
【００６６】
さらに各フォルダ（「FOLDER1」〜「FOLDER3」）内には、それぞれユーザの使用状況に応じて用件フォルダ（「03072400」〜「03072408」）が作成され、これら各用件フォルダ内に、録音により得られた音声ファイル（「03072400.MSV」）と、各ブックマーク画像の画像ファイル（「P0000000.JPG」〜「P0000003.JPG」）と、画像管理ファイル（「03072400.PIN」）とが収納される。
【００６７】
画像管理ファイルは、各画像ファイルを管理するためのものであり、図９に示すように、ヘッダ（「Header」）の後に、代表画像が設定されている場合にはその画像ファイルのファイル名（RPicture Entry）が記述され、さらにその後ろに各ブックマーク画像の画像ファイルのファイル名及び当該ブックマーク画像の音声に対するバインド位置（時間）が記述されたデータ構造を有する。これによりこの画像管理ファイルに基づいて、その用件フォルダの代表画像や各ブックマーク画像のバインド位置（関連する音声におけるそのブックマーク画像が対応付けられた位置）を検索することができる。
【００６８】
なお、このように音声ファイルとこれに関連付けられた各ブックマーク画像の画像ファイルとを同一のフォルダ（用件フォルダ）内に収納することによって、これらデータを外部のパーソナルコンピュータに取り込んでエクスプローラで見たときに、音声ファイルと画像ファイルとの関連が分かりやすく、ユーザが誤って音声ファイルや画像ファイルを削除するのを抑止することができる。
【００６９】
（４）代表画像自動設定処理
次に、このカメラ付きＩＣレコーダ１に搭載されている代表画像自動設定機能について説明する。
【００７０】
このカメラ付きＩＣレコーダ１では、ＣＰＵ２４が、録音録画モードにおいて、録音開始時点の音声に関連付けて代表画像を自動的に設定するようになされている。
【００７１】
実際上、ＣＰＵ２４は、録音ボタン６Ａが押圧操作されたことを認識したときにＬＣＤカバー部４及びカメラカバー８の双方が開状態にあることを検知したときには、当該録音開始時点（録音ボタン６Ａの押圧操作時点）からの経過時間をタイマ２７により計測する。
【００７２】
このときＣＰＵ２４は、動作モードを録音録画モードに遷移させてＤＳＰ２９を制御することにより、ＡＤ／ＤＡコンバータ２２から与えられる音声データＤ１を圧縮音声データＤ２として順次フラッシュメモリ３０に格納する一方、ＣＣＤカメラ３から与えられる画像信号Ｓ５を画像データＤ３として順次ＬＣＤ７に送出し、そのときＣＣＤカメラ３により撮影されている光景の動画像をリアルタイムでＬＣＤ７に表示する。
【００７３】
この状態においてＣＰＵ２４は、カメラシャッタボタン６Ｃが押圧操作されたことを認識すると、カメラシャッタボタン６Ｃが押圧された瞬間の１フレーム分の静止画像の画像データＤ３を圧縮画像データＤ４として生成すると共に、画像管理ファイル（図９：（「03072400.PIN」））を生成する。
【００７４】
そしてＣＰＵ２４は、カメラシャッタボタン６Ｃが押圧操作された瞬間の時点が録音開始時点から３０[秒]以内であり、かつ代表画像が未設定である条件を満たす場合には、このとき生成した圧縮画像データＤ４の画像を代表画像として設定し、当該設定した圧縮画像データＤ４をフラッシュメモリ３０に格納すると共に、その圧縮画像データＤ４のファイル名と、音声開始時刻（録音ボタン６Ａの押圧操作時刻）とを画像管理ファイルにおけるヘッダ（図９：（「Header」））の後の代表画像記述領域（図９：（「RPicture Entry」））に記述する。
【００７５】
これに対してＣＰＵ２４は、かかる条件を満たしていない場合には、このとき生成した圧縮画像データＤ４の画像をブックマーク画像として設定し、当該設定した圧縮画像データＤ４をフラッシュメモリ３０に格納すると共に、その圧縮画像データＤ４のファイル名と、カメラシャッタボタン６Ｃの押圧操作時刻とを画像管理ファイル（図９：（「03072400.PIN」））におけるブックマーク画像領域（図９：（「Picture Entry」））に順次記述する。
【００７６】
そしてＣＰＵ２４は、この後停止ボタン６Ｆが押圧操作されたことを認識すると、そのときユーザにより選択されていたフォルダ内に新たな用件フォルダ（図９：（「FOLDER」））を生成し、かかる圧縮音声データＤ２からなる音声ファイル（図９：（「03072400.MSV」））と、当該音声ファイルと関連付けられた各画像ファイル（図９：（「P0000000.JPG」））と、画像管理ファイル（図９：（「03072400.PIN」））とをその用件フォルダに収納して、その用件フォルダの管理情報を用件管理ファイルに格納する。
【００７７】
このようにこのＣＰＵ２４は、録音開始から３０[秒]以内における初回のカメラシャッタボタン６Ｃの押下操作に対応する静止画像については、録音開始時点の音声に対応付けた代表画像として設定すると共に、当該１分経過後におけるカメラシャッタボタン６Ｃの押下操作に対応する静止画像については、その押下操作が初回であるか否かにかかわらず、その押下操作時点の音声に対応付けたブックマーク画像として設定するようになされている。
【００７８】
なお、ＣＰＵ２４は、録音開始から３０[秒]経過後に初回のカメラシャッタボタン６Ｃの押圧操作があった場合、又は一度もカメラシャッタボタン６Ｃが押圧操作されることなく停止ボタン６Ｆが押圧操作された場合には、ＲＯＭ２５に予め格納されたアイコンデータを画像ファイルとして用件フォルダに収納すると共に、当該アイコンデータに基づくアイコンを代表画像として録音開始時点の音声に関連付けて設定し、かつその設定内容を画像管理ファイルの代表画像記述領域に記述するようになされている。
【００７９】
ここで、上述のＣＰＵ２４による代表画像自動設定処理は、図１０に示す代表画像自動設定処理手順ＲＴに従って実行される。
【００８０】
すなわちＣＰＵ２４は、録音ボタン６Ａが押圧操作されたことを認識したときにＬＣＤカバー部４及びカメラカバー８の双方が開状態にあることを検知すると、この代表画像自動設定処理手順ＲＴをステップＳＰ０において開始し、続くステップＳＰ１において、当該録音開始時点からの経過時間をタイマ２７により計測すると共に、ＣＣＤカメラ３を起動し、このＣＣＤカメラ３により撮影されている動画像をリアルタイムでＬＣＤ７に表示する。
【００８１】
そしてＣＰＵ２４は、続くステップＳＰ２において、カメラシャッタボタン６Ｃが押圧操作されたか否かを判断し、ここで否定結果を得た場合には、ステップＳＰ３に進んで、ＣＣＤカメラ３を起動してから所定の映像表示期間を経過したか否かを判断し、ここでも否定結果を得た場合には、ステップＳＰ２に戻るようにして、当該映像表示内におけるカメラシャッタボタン６Ｃの押圧操作を待ち受ける。
【００８２】
ここで、ＣＰＵ２４は、ステップＳＰ２においてカメラシャッタボタン６Ｃが押圧操作されたと判断した場合には、ステップＳＰ４に進んで、当該カメラシャッタボタン６Ｃが押圧操作された瞬間に対応する画像信号Ｓ５を圧縮画像データＤ４として生成し、続くステップＳＰ５において、録音開始から１分以内でありかつ代表画像が未設定である条件を満たすか否かを判断する。
【００８３】
そしてＣＰＵ２４は、この条件を満たす場合にはステップＳＰ６に進んで、ステップＳＰ４で生成した圧縮画像信号Ｄ４の静止画像を代表画像として、音声開始時点（録音ボタン６Ａの押圧操作時点）の音声に対応付けて設定した後、ステップＳＰ２に戻って上述の処理を繰り返す。これに対してＣＰＵ２４は、かかる条件を満たさない場合にはステップＳＰ７に進んで、ステップＳＰ４で生成した圧縮画像データＤ４の静止画像をブックマーク画像として、カメラシャッタボタン６Ｃの押圧操作時点の音声に対応付けて設定した後、ステップＳＰ２に戻って上述の処理を繰り返すようになされている。
【００８４】
一方、ＣＰＵ２４は、ステップＳＰ３において映像表示期間を経過したと判断した場合には、ステップＳＰ８に進んで、ＬＣＤ７の表示を停止するようになされている。
【００８５】
そしてＣＰＵ２４は、続くステップＳＰ９において、ライブビューボタン６Ｂが押圧操作されたか否かを判断し、ここで否定結果が得られた場合には、ステップＳＰ１０に進んで、停止ボタン６Ｆが押圧操作されたか否かを判断し、ここでも否定結果が得られた場合には、ステップＳＰ９に戻るようにして、当該ライブビューボタン６Ｂ又は停止ボタン６Ｆの押圧操作を待ち受ける。
【００８６】
ここで、ＣＰＵ２４は、ステップＳＰ９においてライブビューボタン６Ｂが押圧操作されたと判断した場合にはＬＣＤ７の表示停止状態を解除した後、ステップＳＰ１に戻って上述の処理を繰り返す一方、ステップＳＰ１０において停止ボタン６Ｆが押圧操作されたと判断した場合にはステップＳＰ１１に進んで、この代表画像自動設定処理手順ＲＴを終了するようになされている。
【００８７】
このようにしてＣＰＵ２４は、録音開始時点の音声に関連付けて代表画像を自動的に設定することができるようになされている。
【００８８】
（５）動作及び効果
以上の構成において、このカメラ付きＩＣレコーダ１は、ＣＣＤカメラにより撮影されている動画像のうちカメラシャッタボタン６Ｃが押圧操作された瞬間の画像の圧縮画像データＤ４を、そのとき録音される音声の圧縮音声データＤ２に順次関連付けて用件フォルダ単位でフラッシュメモリ３０に記憶する。
【００８９】
そしてカメラ付きＩＣレコーダ１は、これら用件単位の画像を用件フォルダ選択画面３３としてＬＣＤ７に表示し、その用件フォルダ選択画面３３から選択された画像の圧縮画像データＤ４に対応付けられた圧縮音声データＤ２を再生する。
【００９０】
従ってこのカメラ付きＩＣレコーダ１では、音声の内容を事前に用件単位で画像から視覚的かつ直感的に把握させた上で再生することができる。
【００９１】
この場合において、カメラ付きＩＣレコーダ１は、フォルダ選択画面３３に表示する用件単位の画像（代表画像）として、録音開始時点から所定の猶予時間（この実施の形態の場合には３０[秒]）が経過するまでの期間に、初めてカメラシャッタボタン６Ｃが押圧操作された瞬間の画像を、当該録音開始時点の音声に対応付けて設定する。
【００９２】
従ってこのカメラ付きＩＣレコーダ１では、録音開始時点から規定された猶予時間内にカメラシャッタボタン６Ｃを押圧操作するだけで代表画像を用件ごとに自動的に設定できるため、後から代表画像を設定させることなく、また録音開始時点からあわててカメラシャッタボタン６Ｃを押圧操作させることもなく、代表画像を設定することができ、操作性を向上することができる。これに加えて、一般に印象深いとされる録音開始時点から猶予時間までの画像を代表画像として設定しているため、用件ごとの音声内容をより直感的に把握させることができ、当該画像を録音開始時点の音声に対応付けているため、ユーザの所望する用件頭だし再生を容易にすることができる。
【００９３】
さらにカメラ付きＩＣレコーダ１は、録音開始時点から規定された猶予時間が経過するまでの期間以外に初めてカメラシャッタボタン６Ｃが押圧操作されなかった場合、又は録音終了時点までカメラシャッタボタン６Ｃが押圧操作されなかった場合には、予め用意されたアイコンを代表画像として、録音開始時点の音声に対応付けて設定する。
【００９４】
従ってこのカメラ付きＩＣレコーダ１では、ユーザの所望する用件頭だし再生を容易かつ確実にすることができる。
【００９５】
以上の構成によれば、カメラシャッタボタン６Ｃが押圧操作された瞬間の画像の圧縮画像データＤ４を、そのとき録音される音声の圧縮音声データＤ２に順次関連付けて用件フォルダ単位でフラッシュメモリ３０に記憶し、これら用件単位の代表画像を用件フォルダ選択画面３３としてＬＣＤ７に表示し、その用件フォルダ選択画面３３から選択された代表画像の圧縮画像データＤ４に対応付けられた圧縮音声データＤ２を再生すると共に、当該代表画像として、録音開始時点から規定された猶予時間が経過するまでの期間に、初めてカメラシャッタボタン６Ｃが押圧操作された瞬間の画像を、当該録音開始時点の音声に対応付けて設定するようにしたことにより、煩雑なユーザ操作を要することなく代表画像を用件ごとに自動的に設定し、当該用件ごとの音声内容を代表画像から視覚的かつ直感的に把握させることができ、かくして検索性を向上することができる。
【００９６】
（６）他の実施の形態
上述の実施の形態においては、音声情報及び画像情報を記録する記録媒体として、このカメラ付きＩＣレコーダ１に内蔵されたフラッシュメモリ３０を適用するようにした場合について述べたが、本発明はこれに限らず、当該カメラ付きＩＣレコーダ１に対して装脱着自在のフラッシュメモリを適用するようにしても良く、またフラッシュメモリに代えて、例えばメモリスティック（ソニー株式会社  登録商標）等のこの他種々の記録媒体を適用するようにしても良い。
【００９７】
また上述の実施の形態においては、各音声情報のファイルごとに、当該ファイルと関連付けた画像情報に基づく各画像のいずれかをファイルの代表画像として設定する記録手段として、録音開始時点から規定された猶予時間が経過するまでの期間に初めてカメラシャッタボタン６Ｃが押圧操作された瞬間の画像を代表画像として録音開始時点の音声に対応付けて設定するようにした場合について述べたが、本発明はこれに限らず、例えば録音終了時点よりも規定された猶予時間だけ遡った時点から終了時点までの期間にカメラシャッタボタン６Ｃが押圧操作された瞬間の画像を代表画像として録音開始時点の音声に対応付けて設定するようにしても良い。この場合において、猶予期間を上述の実施の形態では３０[秒]としたが、例えば１[分]等、要は、カメラシャッタボタン６Ｃの押圧操作時点の静止画像を録音開始時点に対応付けてもユーザが違和感を覚えないであろう時間を採用することができる。
【００９８】
また例えば、録音開始時点から規定された猶予時間が経過するまでの期間に初めてカメラシャッタボタン６Ｃが押圧操作された瞬間の画像に代えて、単に、最初にカメラシャッタボタン６Ｃが押圧操作された瞬間の画像又は最後にカメラシャッタボタン６Ｃが押圧操作された瞬間の画像を代表画像として録音開始時点の音声に対応付けて設定するようにしても良い。このようにした場合、最初又は最後に相当する画像については、一般にユーザが重要視すること又は印象深いことが多いため、上述の実施の形態と同様に、用件ごとの音声内容を視覚的かつ直感的に把握させることができる。
【００９９】
また例えば、カメラシャッタボタン６Ｃの押圧操作が単位時間に規定回数以上あったとき、それら押圧操作された瞬間の各画像のうちのいずれかを代表画像として録音開始時点の音声に対応付けて設定するようにしても良い。このようにした場合、これら画像については、一般にユーザが重要視することが多いため、上述の実施の形態と同様に、音声の全体内容を用件単位ごとに画像から視覚的かつ直感的に把握させることができる。
【産業上の利用可能性】
【０１００】
本発明は、音声及び画像をデータとして記録再生する場合に利用可能である。
【図面の簡単な説明】
【０１０１】
【図１】本実施の形態によるカメラ付きＩＣレコーダの外観構成（１）を示す略線図である。
【図２】本実施の形態によるカメラ付きＩＣレコーダの外観構成（２）を示す略線図である。
【図３】本実施の形態によるカメラ付きＩＣレコーダの外観構成（３）を示す略線図である。
【図４】カメラカバーの回転状態を示す略線図である。
【図５】本実施の形態によるカメラ付きＩＣレコーダの回路構成を示すブロック図である。
【図６】用件フォルダ選択画面等の構成を示す略線図である。
【図７】カメラ付きＩＣレコーダのデータ構造を示す略線図である。
【図８】用件フォルダ管理ファイルのデータ構造を示す略線図である。
【図９】画像管理ファイルのデータ構造を示す略線図である。
【図１０】代表画像自動設定処理手順を示すフローチャートである。
【符号の説明】
【０１０２】
１……カメラ付きＩＣレコーダ、２……本体部、３……ＣＣＤカメラ、４……ＬＣＤカバー部、６……操作部、６Ａ……録音ボタン、６Ｂ……ライブビューボタン、６Ｃ……カメラシャッタボタン、６Ｄ……メニューボタン、６Ｅ……ジョグレバー、６Ｆ……停止ボタン、６Ｇ……ボリュームスイッチ、６Ｈ……ボイスアップスイッチ、６Ｉ……マクロスイッチ、７……ＬＣＤ、８……カメラカバー、２０Ａ、２０Ｂ……マイクロホン、２１……増幅器、２２……ＡＤ／ＤＡコンバータ、２３……データ処理及び制御部、２４……ＣＰＵ、２５……ＲＯＭ、２６……ＲＡＭ、２７……タイマ、２８……制御部、２９……ＤＳＰ、３０……フラッシュメモリ、Ｓ１……音声信号、Ｓ２……操作入力信号、Ｓ３……ＬＣＤカバー状態信号、Ｓ４……カメラカバー状態信号、Ｓ５……画像信号、Ｓ６……音声信号、Ｄ１……音声データ、Ｄ２……画像データ、Ｄ３……画像データ、Ｄ４……圧縮画像データ、ＲＴ……代表画像自動設定処理手順。
【図１】
2006074517.tif 000003
【図２】
2006074517.tif 000004
【図３】
2006074517.tif 000005
【図４】
2006074517.tif 000006
【図５】
2006074517.tif 000007
【図６】
2006074517.tif 000008
【図７】
2006074517.tif 000009
【図８】
2006074517.tif 000010
【図９】
2006074517.tif 000011
【図１０】
2006074517.tif 000012